(57)【要約】    【課題】組立性を高めるとともに、組み立ての際に必要とされる部品点数を削減してコストを抑える。    【解決手段】インターホン機器の前面が被蓋されるように壁から露出する露出型の化粧パネルを取り付けるにあたっては、インターホン機器の上ケース１ａと下ケースとを嵌め合わせた後、下ケースの開口部から取付金具４を挿入し、この取付金具が金具取付部１０６の係止片１０６ａ、１０６ａを使用して係止されるように機器内部へとスライドさせて押し込む。また、インターホン機器の前面が被蓋されるように壁に埋め込む埋込型の化粧パネルを取り付けるにあたっては、取付金具を不要とする。  【選択図】図４
2007180771.tif 000002
【特許請求の範囲】
【請求項１】
上ケース（１ａ）、下ケース（１ｂ）で囲繞され、壁から露出する露出型または壁に埋め込む埋込型の化粧パネル（２、３）が準備されるインターホン機器（１）であって、
前記上ケースは、前記露出型の化粧パネル（２）を取り付けるときに使用される取付金具（４）を挿入して固定するための金具取付部（１０６）を有し、
前記下ケースは、前記上ケースに嵌め合わされるとき前記金具取付部に対向する箇所を開口させるための開口部（１１０）を備え、
前記露出型の化粧パネル（２）を取り付けるときに前記上ケースと前記下ケースとが嵌め合わされた後、前記金具取付部に前記取付金具を挿入して固定することを特徴とするインターホン機器の化粧パネル取付構造。
【請求項２】
前記金具取付部は、前記取付金具を係止させるための係止片（１０６ａ、１０６ａ）を有することを特徴とする請求項１記載のインターホン機器の化粧パネル取付構造。
【請求項３】
前記上ケースは、前記金具取付部がネジ締め方向へ撓んで前記取付金具が係止片から外れるのを防止するための撓み防止材（１０７）を有することを特徴とする請求項１または請求項２記載のインターホン機器の化粧パネル取付構造。
【発明の詳細な説明】
【技術分野】
【０００１】
本発明は、インターホン機器の化粧パネル取付構造に係り、特に、インターホン機器の前面が被蓋されるように壁から露出する露出型または壁に埋め込む埋込型の化粧パネルを取り付けることができるインターホン機器の化粧パネル取付構造に関する。
【背景技術】
【０００２】
従来から、この種のインターホン機器の化粧パネル取付構造として、パネル組込用の警報表示灯付玄関子機および扉パネル組込用の警報表示灯付玄関子機がそれぞれ開示されている（例えば、非特許文献１、非特許文献２をそれぞれ参照。）。
【０００３】
非特許文献１において、ＱＥ−ＮＸＵ「」型およびＱＥ−ＮＸＵ型のパネル組込用の警報表示灯付玄関子機の機器内部には、玄関子機を組み立てる際に予め取付金具が設けられており、この取付金具を使用して、玄関子機の前面が被蓋されるように壁から露出する露出型の化粧パネルを取り付けることができる。
【０００４】
また、非特許文献２において、ＱＥ−ＮＸＵ−Ｎ型の扉パネル組込用の警報表示灯付玄関子機は、玄関子機の前面が被蓋されるように壁に埋め込む埋込型の化粧パネルを取り付けることができる。
【０００５】
【非特許文献１】アイホン株式会社製、ＱＥ−ＮＸＵ「」、ＱＥ−ＮＸＵ  工事説明書（２００４年３月発行）
【非特許文献２】アイホン株式会社製、ＱＥ−ＮＸＵ−Ｎ  工事説明書（２００５年９月発行）
【発明の開示】
【発明が解決しようとする課題】
【０００６】
非特許文献１に記載のＱＥ−ＮＸＵ「」型およびＱＥ−ＮＸＵ型のパネル組込用の警報表示灯付玄関子機、さらには非特許文献２に記載のＱＥ−ＮＸＵ−Ｎ型の扉パネル組込用の警報表示灯付玄関子機において、玄関子機は同一の構造であり、この機器内部には、組み立ての際に取付金具が設けられる。しかしながら、取付金具は、埋込型の化粧パネルを警報表示灯付玄関子機の前面に取り付けるにあたっては不要であり、無駄な部品となりコストが増大していた。
【０００７】
本発明は、この難点を解消するためになされたもので、インターホン機器の前面が被蓋されるように露出型の化粧パネルを取り付ける際に必要とされる取付金具を、インターホン機器の完成後において機器内部に設けることにより、露出型または埋込型の化粧パネルの相違に応じて取付金具の要否を判断して組立性を高め、さらには、組み立ての際に必要とされる部品点数を削減してコストを抑えることができるインターホン機器の化粧パネル取付構造を提供することを目的としている。
【課題を解決するための手段】
【０００８】
前述の目的を達成するため、本発明の第１の態様であるインターホン機器の化粧パネル取付構造は、上ケース、下ケースで囲繞され、壁から露出する露出型または壁に埋め込む埋込型の化粧パネルが準備されるインターホン機器であって、上ケースは、露出型の化粧パネルを取り付けるときに使用される取付金具を挿入して固定するための金具取付部を有し、下ケースは、上ケースに嵌め合わされるとき金具取付部に対向する箇所を開口させるための開口部を備えたものである。露出型の化粧パネルを取り付けるときに上ケースと下ケースとが嵌め合わされた後、金具取付部に取付金具を挿入して固定するものである。
【０００９】
また、本発明の第２の態様であるインターホン機器の化粧パネル取付構造は、本発明の第１の態様において、金具取付部は、取付金具を係止させるための係止片を有するものである。
【００１０】
このような第１の態様および第２の態様であるインターホン機器の化粧パネル取付構造によれば、インターホン機器の前面が被蓋されるように壁から露出する露出型の化粧パネルを取り付けるにあたっては、インターホン機器の上ケースと下ケースとを嵌め合わせた後、下ケースの開口部から取付金具を挿入し、この取付金具が金具取付部の係止片を使用して係止されるように機器内部へとスライドさせて押し込むことができる。この作業により、取付金具を、上ケースに対してがたつきが無く安定させた状態で取り付けることができる。また、インターホン機器の前面が被蓋されるように壁に埋め込む埋込型の化粧パネルを取り付けるにあたっては、取付金具が不要となるため、組み立ての際に必要とされる部品点数を削減できコストが抑えられる。
【００１１】
また、本発明の第３の態様であるインターホン機器の化粧パネル取付構造は、本発明の第１の態様または第２の態様において、上ケースは、金具取付部がネジ締め方向へ撓んで取付金具が係止片から外れるのを防止するための撓み防止材を有するものである。
【００１２】
このような第３の態様であるインターホン機器の化粧パネル取付構造によれば、金具取付部がねじ締め方向に撓んで取付金具が係止片から外れるのを容易に防止することができる。
【発明の効果】
【００１３】
本発明のインターホン機器の化粧パネル取付構造によれば、上ケース、下ケースで囲繞されるインターホン機器を、上ケースと下ケースとを嵌め合わせた状態で予めユニット化しておき、この状態のインターホン機器の前面を被蓋する化粧パネルの態様の相違、例えば、注文状況において壁から露出する露出型であるのか、壁に埋め込む埋込型であるのかの相違に応じて、露出型の化粧パネルが準備されたときにのみ併せて取付金具を準備して組み立てることができ、組立性が高められる。また、埋込型の化粧パネルが準備されたときには、取付金具は不要であるため、組み立ての際に必要とされる部品点数を削減できコストが抑えられる。
【発明を実施するための最良の形態】
【００１４】
以下、本発明のインターホン機器の化粧パネル取付構造を適用した最良の実施の形態例について、図面を参照して説明する。
【００１５】
図１（ａ）は、本発明の実施例による化粧パネル取付構造を有するインターホン機器を正面（正面側）から見た斜視図、図１（ｂ）は、図１（ａ）に示すインターホン機器を裏面（裏面側）から見た斜視図である。図２は、図１（ａ）のインターホン機器の筐体構造を示す分解斜視図である。また、図３（ａ）、（ｂ）は、それぞれ本発明の実施例において適用される化粧パネルの外観構成を示す斜視図であり、（ａ）が露出型、（ｂ）が埋込型である。また、図４（ａ）は、図２のインターホン機器の筐体を構成する上ケースを裏面（裏面側）から見た斜視図、図４（ｂ）は、図４（ａ）の要部拡大図である。
【００１６】
図１（ａ）、（ｂ）に示すインターホン機器１は、玄関の壁に設置されるものであり、玄関に居る人物、例えば、来訪者が住戸内に在室中の居住者を呼び出すために操作する呼出ボタン１０と、来訪者の映像や玄関の周囲近傍の映像を撮像するための例えば、ＣＣＤ（Charge Coupled Devices）、ＣＭＯＳ（Complementary Metal Oxide Semiconductor）等のカメラ１１と、来訪者が居住者との間で通話を成立させるために音声（送話音声、受話音声）を入出力するマイク１２およびスピーカ１３とが設けられている。なお、カメラ１１の撮像面（撮像面側）には、映像の撮像範囲でレンズ（図示せず。）を覆うためのカメラカバー１１ａが設けられている。
【００１７】
また、インターホン機器１は、図２に示すように、上ケース１ａ、下ケース１ｂで囲繞される筐体構造を有しており、前述の呼出ボタン１０、カメラ１１、マイク１２およびスピーカ１３等の各種の電子部品が実装された基板（図示せず。）を、上ケース１ａおよび下ケース１ｂの嵌め合わせによって固定することができる。
【００１８】
図３（ａ）に示す化粧パネル２は、インターホン機器１の前面が被蓋されるように（玄関の）壁から露出させて設置するにあたって準備される当該化粧パネル（以下、露出型の化粧パネルという。）である。この露出型の化粧パネル２の底面部には、ねじ２０を使用して、露出型の化粧パネル２でインターホン機器１の前面を被蓋させるようにねじ止めで取り付けて締着するためのねじ穴２００が穿設されている。なお、ねじ穴２００が穿設される露出型の化粧パネル２の箇所は、底面部に限定されるものではなく、任意の箇所に設けることができる。
【００１９】
図３（ｂ）に示す化粧パネル３は、インターホン機器１の前面が被蓋されるように（玄関の）壁に埋め込んで設置するにあたって準備される当該化粧パネル（以下、埋込型の化粧パネルという。）である。この埋込型の化粧パネル３の前面には、所定数のねじ、ここでは、４本のねじ３０（３０、３０、３０、３０）を使用して、埋込型の化粧パネル３でインターホン機器１の前面を被蓋させるようにねじ止めで取り付けて締着するための４つのねじ穴３００（３００、３００、３００、３００）が穿設されている。なお、埋込型の化粧パネル３の前面に穿設されるねじ穴は４つに限定されるものではなく、ねじ３０の本数に応じて任意の数を設けることができる。
【００２０】
また、インターホン機器１の上ケース１ａには、図２に示すように、呼出ボタン１０を露出させるための呼出ボタン穴１００と、カメラカバー１１ａに対応する開口穴１０１と、マイク１２の集音（収音）穴１０２と、スピーカ１３の放音穴１０３と、露出型の化粧パネル２のねじ穴２００に対向する箇所のねじ穴１０４と、埋込型の化粧パネル３のねじ穴３００（３００、３００、３００、３００）に対向する箇所のねじ穴１０５（１０５、１０５、１０５、１０５）とがそれぞれ穿設されている。なお、前述の呼出ボタン穴１００、集音（収音）穴１０２、放音穴１０３、ねじ穴１０４、１０５（１０５、１０５、１０５、１０５は、図１（ａ）、（ｂ）に適宜、表すことができる。
【００２１】
また、インターホン機器１の上ケース１ａには、図４（ａ）に示すように、インターホン機器１の前面が被蓋されるように露出型の化粧パネル２を取り付けるときに使用される取付金具４（図１（ｂ）および図４（ｂ）を参照。）を挿入して固定するための金具取付部１０６が備えられている。この金具取付部１０６は、図４（ｂ）に示すように、取付金具４の一端である凸状部４ａを係止させるための少なくとも１つの係止片、ここでは、２つの係止片１０６ａ、１０６ａを有しており、この係止片１０６ａ、１０６ａは、上ケース１ａの内面側から突設されている。また、取付金具４の他端は上ケース１ａの内面側に当接される。なお、係止片１０６ａの数は２つに限定されるものではなく、任意の数を設けることができる。
【００２２】
また、インターホン機器１の上ケース１ａには、図４（ａ）に示すように、金具取付部１０６がねじ締め方向に撓んで取付金具４が係止片１０６ａ、１０６ａから外れるのを防止するための撓み防止材１０７が内面側から突設されている。なお、撓み防止材１０７は、上ケース１ａと一体的に形成されるものである。
【００２３】
また、インターホン機器１の上ケース１ａには、図４（ａ）に示すように、スピーカ１３に延設されている一対の固定部品（詳述せず。）をねじ止めで上ケース１ａに締着させるにあたり、スピーカ１３の外周面が当接されるスピーカ抑え部材１０８が内面側から突設されている。なお、スピーカ抑え部材１０８は、前述の撓み防止材１０７と同様、上ケース１ａと一体的に形成されるものである。
【００２４】
また、インターホン機器１の下ケース１ｂには、図１（ｂ）に示すように、上ケース１ａと下ケース１ｂとが嵌め合わされるとき、図４（ａ）に示す上ケース１ａの金具取付部１０６に対向する箇所を開口させるための開口部１１０を有している。
【００２５】
さらに、取付金具４には、図１（ｂ）および図４（ｂ）に示すように、上ケース１ａのねじ穴１０４および露出型の化粧パネル２のねじ穴２００に対向する箇所のねじ穴４０が穿設されている。
【００２６】
このような構造を有する本発明の実施例によるインターホン機器において、以下、具体的な組み立て作業について説明する。
【００２７】
第１の組み立て作業として、インターホン機器１の前面が被蓋されるように露出型の化粧パネル２を取り付けて（玄関の）壁に設置する作業について説明する。
【００２８】
最初に、インターホン機器１の上ケース１ａと下ケース１ｂとを嵌め合わせた後、下ケース１ｂの開口部１１０から取付金具４を挿入し、この取付金具４の他端を上ケース１ａの内面側に当接させ、一端である凸状部４ａは金具取付部１０６の係止片１０６ａ、１０６ａを使用して係止されるようにインターホン機器１の内部へとスライドさせて押し込む。この作業により、取付金具４を、上ケース１ａに対してがたつきが無く安定させた状態で取り付けることができる。
【００２９】
この後、ねじ３０（３０、３０、３０、３０）を使用して、外部から上ケース１ａに穿設されたねじ穴１０５（１０５、１０５、１０５、１０５）を経由して壁に向かってねじ止めで締着させることにより、インターホン機器１（の本体）を（玄関の）壁から露出するように取り付けて固定することができる。
【００３０】
さらには、（玄関の）壁に取り付けられたインタホーホン機器１の前面に露出型の化粧パネル２を被蓋した後、ねじ２０を使用して、外部から露出型の化粧パネル２の底面部に穿設されたねじ穴２００、上ケース１ａの底面部に穿設されたねじ穴１０４を経由して取付金具４に穿設されたねじ穴４０に向かってねじ止めで締着させることにより、インタホーホン機器１の前面に露出型の化粧パネル２を取り付けて固定することができる。ここでは、上ケース１ａの内面側に撓み防止材１０７が突設されており、この撓み防止材１０７は上ケース１ａと一体的に形成され十分な剛性を有しているため、金具取付部１０６がねじ締め方向に撓んで、取付金具４が係止片１０６ａ、１０６ａから外れるのを容易に防止することができる。
【００３１】
なお、第１の組み立て作業においては、金具取付部１０６がねじ締め方向に撓んで、取付金具４が係止片１０６ａ、１０６ａから外れるのを防止する部材として、撓み防止材１０７を適用したが、これに限定されるものではない。例えば、スピーカ抑え部材１０８を適用することもでき、このスピーカ抑え部材１０８も撓み防止材１０７と同様、上ケース１ａと一体的に形成され十分な剛性を有しているため、金具取付部１０６がねじ締め方向に撓んで、取付金具４が係止片１０６ａ、１０６ａから外れるのを容易に防止することができるばかりでなく、上ケース１ａに撓み防止材１０７を突設させる必要が無く部品点数を削減できコストが抑えられる。
【００３２】
次に、第２の組み立て作業として、インターホン機器１の前面が被蓋されるように埋込型の化粧パネル３を取り付けて（玄関の）壁に設置する作業について説明する。
【００３３】
最初に、インターホン機器１の上ケース１ａと下ケース１ｂとを嵌め合わせた後、ねじ３０（３０、３０、３０、３０）を使用して、外部から埋込型の化粧パネル３に穿設されたねじ穴３００（３００、３００、３００、３００）、上ケース１ａに穿設されたねじ穴１０５（１０５、１０５、１０５、１０５）を経由して壁に向かってねじ止めで締着させることにより、インターホン機器１（の本体）を（玄関の）壁に埋め込むように取り付けて固定することができる。
【００３４】
なお、第２の組み立て作業においては、前述の第１の組み立て作業において必要とされた取付金具４が不要であるため、組み立ての際に必要とされる部品点数を削減できコストが抑えられる。
【００３５】
前述までの説明から明らかなように、本発明の実施例による化粧パネル取付構造を有するインターホン機器によれば、上ケース１ａ、下ケース１ｂで囲繞されるインターホン機器１を、上ケース１ａと下ケース１ｂとを嵌め合わせた状態で予めユニット化しておき、この状態のインターホン機器１の前面を被蓋する化粧パネル２、３の態様の相違、例えば、注文状況において壁から露出する露出型であるのか、壁に埋め込む埋込型であるのかの相違に応じて、露出型の化粧パネル２が準備されたときにのみ併せて取付金具４を準備して組み立てることができ、組立性が高められる。また、埋込型の化粧パネル３が準備されたときには、取付金具４が不要であるため、組み立ての際に必要とされる部品点数を削減できコストが抑えられる。
【００３６】
なお、本発明のインターホン機器の化粧パネル取付構造においては、特定の実施の形態をもって説明してきたが、この形態に限定されるものでなく、本発明の効果を奏する限り、これまで知られた如何なる構成であっても採用できるということはいうまでもないことである。
【図面の簡単な説明】
【００３７】
【図１】図１（ａ）は、本発明の実施例による化粧パネル取付構造を有するインターホン機器を正面（正面側）から見た斜視図、図１（ｂ）は、図１（ａ）に示すインターホン機器を裏面（裏面側）から見た斜視図である。
【図２】図２は、図１（ａ）、（ｂ）のインターホン機器の筐体構造を示す分解斜視図である。
【図３】図３（ａ）、（ｂ）は、それぞれ本発明の実施例において適用される化粧パネルの外観構成を示す斜視図である。
【図４】図４（ａ）は、図２のインターホン機器の筐体を構成する上ケースを裏面（裏面側）から見た斜視図、図４（ｂ）は、図４（ａ）の要部拡大図である。
【符号の説明】
【００３８】
１……インターホン機器
１ａ……上ケース
１０６……金具取付部
１０６ａ、１０６ａ……係止片
１０７……撓み防止材
１ｂ……下ケース
１１０……開口部
２……露出型の化粧パネル
３……埋込型の化粧パネル
４……取付金具
【図１】
2007180771.tif 000003
【図２】
2007180771.tif 000004
【図３】
2007180771.tif 000005
【図４】
2007180771.tif 000006